【手続補正書】
【提出日】平成17年11月9日(2005.11.9)
【手続補正１】
【補正対象書類名】明細書
【補正対象項目名】特許請求の範囲
【補正方法】変更
【補正の内容】
【特許請求の範囲】
【請求項１】  相互に同期可能なカメラおよびスイッチャとを有するデジタル監視システムであって、前記カメラはＩフレーム送出タイミングと送出サイクルを設定することが可能なカメラであり、該カメラからの画像信号を１サイクル分バッファリングし、Ｉフレームを抽出することを特徴とするデジタル監視システム。
【請求項２】  相互に同期可能なカメラおよびスイッチャとを有するデジタル監視システムであって、前記カメラはＩフレーム送出タイミングと送出サイクルを設定することが可能なカメラであり、該カメラからの画像信号を１サイクル分バッファリングし、Ｉフレームを抽出することが可能なスイッチャを具備し、複数カメラ間のＩフレーム送出タイミングをずらすことを特徴とするデジタル監視システム。
【請求項３】  相互に同期可能なカメラおよびスイッチャとを有するデジタル監視システムであって、前記カメラはＩフレーム送出タイミングと送出サイクルを設定することが可能なカメラであって、該カメラからの画像信号をＩフレーム送出タイミングに合わせてスイッチングすることが可能なスイッチャを具備し、複数カメラ間のＩフレーム送出タイミングをずらすことを特徴とするデジタル監視システム。
【請求項４】  相互に同期可能なカメラおよびスイッチャとを有するデジタル監視システムであって、前記カメラはＩフレーム送出タイミングと送出サイクルを設定することが可能なカメラであって、該カメラからの画像信号をＩフレーム送出タイミングに合わせてスイッチングすることが可能なスイッチャを具備し、複数カメラ間のＩフレーム送出タイミングをずらし、Ｉフレームのみを送信し、単一のチャネルを複数のカメラで時分割シェアリングすることを特徴とするデジタル監視システム。
【請求項５】  デジタル画像信号を出力し同期可能な複数の撮像カメラと、これらの複数の撮像カメラから出力された画像信号を切り替え送付するスイッチャとを備え、前記複数の撮像カメラに対して、Ｉフレーム送出タイミングが同時になるように同期設定するとともに、Ｉフレームの送出サイクルが同じになるよう設定し、複数の撮像カメラからの画像信号を１サイクル分バッファリングし、スイッチング動作によりバッファリングした画像信号の中から必要なＩフレームだけを抽出するようにしたことを特徴とする画像信号切替方法。
【請求項６】  デジタル画像信号を出力し同期可能な複数の撮像カメラと、これらの複数の撮像カメラから出力された画像信号を切り替え送付するスイッチャとを備え、前記複数の撮像カメラに対して、Ｉフレーム送出タイミングが同時になるように同期設定するとともに、Ｉフレームの送出サイクルが同じになるよう設定し、複数の撮像カメラからの画像信号を１サイクル分バッファリングし、スイッチング動作によりバッファリングした画像信号の中から必要なＩフレームを、複数カメラ間でＩフレーム送出タイミングをずらしながら抽出するようにしたことを特徴とする画像信号切替方法。
【請求項７】  デジタル画像信号を出力し同期可能な複数の撮像カメラと、これらの複数の撮像カメラから出力された画像信号を切り替え送付するスイッチャとを備え、前記複数の撮像カメラに対して、Ｉフレーム送出タイミングがそれぞれ異なるように同期設定するとともに、Ｉフレームの送出サイクルが同じになるよう設定し、スイッチング動作により前記異なるＩフレーム送出タイミングに同期させ、複数カメラ間でタイミングをずらしながらＩフレームを送出するようにしたことを特徴とする画像信号切替方法。
【請求項８】  デジタル画像信号を出力し同期可能な複数の撮像カメラと、これらの複数の撮像カメラから出力された画像信号を切り替え送付するスイッチャとを備え、前記複数の撮像カメラに対して、Ｉフレーム送出タイミングがそれぞれ異なるように同期設定するとともに、Ｉフレームの送出サイクルが同じになるよう設定し、スイッチング動作により前記異なるＩフレーム送出タイミングに同期させ、複数カメラ間でタイミングをずらしながらＩフレームのみを送信し、単一のチャネルを複数のカメラで時分割シェアリングすることを特徴とする画像信号切替方法。
【請求項９】  画像を撮影する撮像手段と、撮像により得られた画像信号をデジタル信号に変換するデジタル化手段と、画像信号の中のＩフレームの送出タイミングを制御するタイミング制御手段と、タイミング制御手段のタイミングおよびＩフレーム送出サイクルを設定する設定手段と、画像信号を送出する送信手段とを備え、所定のタイミングで画像信号のＩフレームを送出することを特徴とするデジタル撮像カメラ。
【請求項１０】  画像を撮影する撮像手段と、撮像により得られた画像信号をデジタル信号に変換するデジタル化手段と、画像信号の中から必要なＩフレームを抽出するＩフレーム抽出手段と、Ｉフレームの送出タイミングを制御するタイミング制御手段と、タイミング制御手段のタイミングおよびＩフレーム送出サイクルを設定する設定手段と、画像信号を送出する送信手段とを備え、所定のタイミングで画像信号のＩフレームを送出することを特徴とするデジタル撮像カメラ。
【請求項１１】  複数のデジタル撮像カメラに対して、Ｉフレーム送出タイミングが同時になるように同期設定するとともに、Ｉフレームの送出サイクルが同じになるよう設定する設定手段を備えた請求項９または１０記載のデジタル撮像カメラ。
【請求項１２】  複数のデジタル撮像カメラに対して、Ｉフレーム送出タイミングがそれぞれ異なるように同期設定するとともに、Ｉフレームの送出サイクルが同じになるよう設定する設定手段を備えた請求項９または１０記載のデジタル撮像カメラ。
【請求項１３】  デジタル画像信号を出力し同期可能な複数の撮像カメラからの画像信号を受信する受信手段と、複数の撮像カメラから受信した画像信号を１サイクル分格納するバッファ手段と、バッファ手段に格納された画像信号の中から必要なＩフレームだけを抽出するＩフレーム抽出手段と、Ｉフレーム抽出手段の動作タイミングを制御するタイミング制御手段と、タイミング制御手段のタイミングを設定する設定手段と、画像信号を送出する送信手段とを備え、所定のタイミングで画像信号のＩフレームをバッファ手段から抽出し送出することを特徴とする画像信号切替装置。
【請求項１４】  複数の撮像カメラに対して、Ｉフレーム送出タイミングが同時になるように同期設定するとともに、Ｉフレームの送出サイクルが同じになるよう設定する設定手段を備えた請求項１３記載の画像信号切替装置。
【請求項１５】  デジタル画像信号を出力し同期可能な複数の撮像カメラからの画像信号を受信する受信手段と、画像信号を受信するチャネルを、Ｉフレームを送出する撮像カメラのチャネルに切り替えるチャネル切替手段と、チャネル切替手段の切替タイミングを制御するタイミング制御手段と、タイミング制御手段のタイミングを設定する設定手段と、画像信号を送出する送信手段とを備え、所定のタイミングで画像信号のＩフレームを受信し送出することを特徴とする画像信号切替装置。
【請求項１６】  複数の撮像カメラから受信した画像信号のうちＩフレームデータの一部を格納するバッファ手段を設けたことを特徴とする請求項１５記載の画像信号切替装置。
【請求項１７】  複数のデジタル撮像カメラに対して、Ｉフレーム送出タイミングがそれぞれ異なるように同期設定するとともに、Ｉフレームの送出サイクルが同じになるよう設定する設定手段を備えた請求項１３、１５または１６記載の画像信号切替装置。
【請求項１８】  第１の同期タイマを有しＩフレーム送出タイミングおよび送出サイクルを設定することが可能なカメラと、
第２の同期タイマおよび同期マスタークロックを有しカメラからの画像信号を１サイクル分バッファリングし、Ｉフレームを選択し抽出することが可能なスイッチャとを有し、
前記スイッチャは、同期制御データと前記送出サイクルを前記カメラに送出し、前記第１の同期タイマと、前記第２の同期タイマとは、前記同期マスタークロックから出力されるクロック信号によって同期を取るデジタル監視システム。
【請求項１９】  前記スイッチャは、Ｉフレームを送出するサイクル時間を送出し、
前記カメラは、前記サイクル時間毎にＩフレームを送出する請求項１８記載のデジタル監視システム。
【手続補正２】
【補正対象書類名】明細書
【補正対象項目名】０００８
【補正方法】変更
【補正の内容】
【０００８】
【課題を解決するための手段】
本発明は、上記目的を達成するために、撮像カメラとして相互に同期可能なカメラを用い、このカメラを複数個スイッチャに接続して画像信号を切り替え入力できるようにしたデジタル監視システムを構築し、画像信号切替方法として、前記カメラをＩフレームの送出タイミングと送出サイクルを設定できるようにし、カメラからの画像信号を１サイクル分バッファリングし、必要なＩフレームだけ抽出するようにしたことを要旨とする。
【手続補正３】
【補正対象書類名】明細書
【補正対象項目名】００１５
【補正方法】変更
【補正の内容】
【００１５】
【発明の実施の形態】
本発明の請求項１に記載の発明は、デジタル監視システムを、相互に同期可能なカメラおよびスイッチャとにより構築し、前記カメラはＩフレーム送出タイミングと送出サイクルを設定することが可能なカメラであり、該カメラからの画像信号を１サイクル分バッファリングし、Ｉフレームを抽出するようにしたものであり、Ｐフレーム、Ｂフレームというように他のフレームとの依存関係を有するフレームが混在するデジタル画像信号であっても、フレーム切り替えを行ないながら受信するという作用を有する。
【手続補正４】
【補正対象書類名】明細書
【補正対象項目名】００１６
【補正方法】変更
【補正の内容】
【００１６】
本発明の請求項２に記載の発明は、デジタル監視システムを、相互に同期可能なカメラおよびスイッチャとにより構築し、前記カメラはＩフレーム送出タイミングと送出サイクルを設定することが可能なカメラであり、該カメラからの画像信号を１サイクル分バッファリングし、Ｉフレームを抽出するとともに、この抽出に当たって複数カメラ間のＩフレーム送出タイミングをずらすようにしたものであり、デジタル画像信号を、フレーム切り替えを行ないながら受信するという作用を有する。
【手続補正５】
【補正対象書類名】明細書
【補正対象項目名】００１７
【補正方法】変更
【補正の内容】
【００１７】
本発明の請求項３に記載の発明は、デジタル監視システムを、相互に同期可能なカメラおよびスイッチャから構築し、前記カメラはＩフレーム送出タイミングと送出サイクルを設定することが可能なカメラであって、該カメラからの画像信号をＩフレーム送出タイミングに合わせてスイッチングすることが可能なスイッチャを具備し、複数カメラ間のＩフレーム送出タイミングをずらすようにしたものであり、少ないバッファで高速で確実な画像信号の受信ができるという作用を有する。
【手続補正６】
【補正対象書類名】明細書
【補正対象項目名】００１８
【補正方法】変更
【補正の内容】
【００１８】
本発明の請求項４に記載の発明は、デジタル監視システムを、相互に同期可能なカメラおよびスイッチャにより構築し、前記カメラはＩフレーム送出タイミングと送出サイクルを設定することが可能なカメラであって、該カメラからの画像信号をＩフレーム送出タイミングに合わせてスイッチングすることが可能なスイッチャを具備し、複数カメラ間のＩフレーム送出タイミングをずらし、Ｉフレームのみを送信し、単一のチャネルを複数のカメラで時分割シェアリングするようにしたものであり、カメラとスイッチャとの間のネットワーク帯域の有効利用ができるという作用を有する。